(57)【要約】【課題】  接続に接着剤や工具もしくは糸を用いることなく、簡単かつ小さな力で医療用チューブと医療用機器との強固な接続を確保する固定具を提供することである。【解決手段】  可とう性を有するチューブの基端側が、先端部から後端部へと外径が拡径してなる雄状接続手段の、前記雄状接続手段に挿入された前記チューブを挿通可能な内腔を有する固定具であって、前記固定具の内腔には螺旋状の締結手段を有することを特徴とする固定具。【選択図】  図４
2005261572.tif 000002
【特許請求の範囲】
【請求項１】
可とう性を有するチューブの基端側が、先端部から後端部へと外径が拡径してなる雄状接続手段の、前記雄状接続手段に挿入された前記チューブを挿通可能な内腔を有する固定具であって、前記固定具の内腔には螺旋状の締結手段を有することを特徴とする固定具。
【請求項２】
前記固定具は、回転することにより前記雄状接続手段の先端側から後端側へ移動するものである請求項１に記載の固定具。
【請求項３】
前記固定具が、ほぼ円筒形状である請求項１または２に記載の固定具。
【発明の詳細な説明】
【技術分野】
【０００１】
本発明は、固定具に関するものである。
【背景技術】
【０００２】
従来、手術後の患者の体内に医療用チューブを留置し、チューブの端部には吸引および吸引物の貯留をする機器を接続し、滲出液のドレナージが実施されている。このような医療用チューブと医療用機器の接続は、医者または看護士の手によって医療現場で実施されるため、予め接着剤等により強固に接続しておくことができないし、工具を必要とする接続方法は好ましくない。このため、主にチューブ内径よりわずかに大きい外径を有する雄状接続手段を機器側に設け、雄状接続手段にチューブを差し込んで接続する方法が多くとられている。この雄状接続手段は一般に雄コネクターという呼称が使われる。
【０００３】
このような接続方法では雄コネクターとチューブの接続部の接続強度はチューブの内外径と雄コネクターの内外径の関係が大きく影響する。チューブの内径に対してより大きな外径を有する雄コネクターの方が接続部の接続強度はより大きいため、高い安全性が期待できる。しかし、逆に接続し難くなるため現場での取扱が困難になり、チューブと雄コネクターの接続強度に自ずと実使用可能な限界値が生じる。
【０００４】
チューブと雄コネクターの接続については、使用時に簡単に抜けたりしないように様々な工夫が凝らされているが、実際にはチューブと雄コネクターの接続部が外れてしまうことがあり、まだ不十分である。また、上記のような接続方法では各部品の寸法のバラツキに大きく依存し、チューブ内径が大きいと接続強度は小さくなってしまい、接続部が使用中に外れてしまうリスクが増大する問題をはらんでいる。
【０００５】
実使用においては、チューブが雄コネクターから簡単に抜けないように医者または看護士の手によってチューブの上から、糸で縛る対策を講じている施設もあるが、処置に余計な手間がかかってしまう問題がある。
【０００６】
このような問題に対して、チューブを内外から締付ける方策が種々考案されており、雄コネクターにチューブを接続した後で締付リングをチューブ接続部外面に全周圧着する方法がある。この方法ではチューブが比較的薄肉であったり、柔らかい材料であるときは比較的小さな力でチューブを圧縮変形させることで十分な締付力を得ることができる。しかし、逆にチューブが厚肉であったり、硬めの材料であるときはチューブが抜けないようにチューブを圧縮変形させるにはより大きな力が必要となり、手でチューブ長手方向に押し込むのは困難である。
【特許文献１】特許２６７９８０２号公報
【特許文献２】特表２０００−５１３９５２号公報
【特許文献３】実開平７−３５３６３号公報
【発明の開示】
【発明が解決しようとする課題】
【０００７】
接続に接着剤や工具もしくは糸を用いることなく、簡単かつ小さな力で医療用チューブと医療用機器との強固な接続を確保する固定具を提供することである。
【課題を解決するための手段】
【０００８】
このような目的は、下記（１）〜（３）に記載の本発明により達成される。
・  可とう性を有するチューブの基端側が、先端部から後端部へと外径が拡径してなる雄状接続手段の、前記雄状接続手段に挿入された前記チューブを挿通可能な内腔を有する固定具であって、前記固定具の内腔には螺旋状の締結手段を有することを特徴とする固定具。
・  前記固定具は、回転することにより前記雄状接続手段の先端側から後端側へ移動するものである第上記（１）に記載の固定具。
・  前記固定具が、ほぼ円筒形状である上記（１）または（２）に記載の固定具。
【発明の効果】
【０００９】
本発明はチューブに外嵌合する固定具のため、チューブ外径側の拘束力が加算され、チューブの接続強度低下が抑えられる。また、チューブと雄コネクターの接続部の上から改めて、糸で縛り付けるような手間のかかる処置をする必要がなく、締結手段を螺旋状にすることによって、簡単でかつ小さな力で同等の接続強度を確保できる利点がある。
【発明を実施するための最良の形態】
【００１０】
以下、図をもとに本発明の詳細を説明する。
【００１１】
図１は、本発明の固定具を示す断面図である。図２は、本発明の固定具を示す左側面図である。図３は、本発明の固定具の使用方法を示す参考図である。図４は、本発明の固定具の使用方法を示す参考図である。
【００１２】
図１および２に示すように、固定具（１）は筒状部（２）と内側に配置された螺旋状の締結手段（４）と外側に配置された把持部（５）から構成されており、さらに筒状部（２）にチューブ当接部（３）を配置すると医療行為中に固定具（１）がチューブ（６）から脱落し、紛失する危険性を低減できるため、より好ましい。締結手段（４）の条数は特に限定しないが、作製コストを考慮すると１、２本が好ましい。螺旋の方向は特に限定しないが、通常のネジ締結の方向にあわせて右巻きにするのが好ましい。なお図１、２では右巻きの締結手段（４）を２条使用した実施例を取り上げている。
【００１３】
固定具（１）の全長は特に限定されないが、１０〜３０ｍｍであることが好ましく１０ｍｍ未満では指で掴んで回転させることが困難になるため、また３０ｍｍを超えると全体の嵩張りが大きくなりすぎるため好ましくない。また、チューブ当接部（３）の配置場所は特に限定しないが、固定具（１）の締結完了時に雄コネクター（７）にかからない位置に設けるのが好ましい。チューブ当接部（３）をチューブ（６）の外径よりわずかに小さい内径とすることにより、チューブ（６）と雄コネクター（７）の非接続状態における、チューブ基端部からの固定具（１）の脱離を防止する。締結手段（４）の最小外径は雄コネクター（７）のテーパー大径部（８）とチューブ（６）の肉厚の２倍を足したものよりも小さくする必要がある。また把持部（５）の形状は特に限定せず、複数本の縦リブにしたり、多角形形状にしたり、より締付トルクを大きくする目的で径方向に平板を大きく突き出した形状としてもよい。把持部（５）の大きさは全体の嵩張りを考慮すると大きくとも３０ｍｍ以下であることが好ましい。
【００１４】
固定具（１）の材料としては、特に限定しないが、ステンレス鋼、チタン、チタン合金、アルミニウム、アルミニウム合金等の金属、セラミックス、もしくはポリエチレン、ポリプロピレン、ポリアミド、ポリ塩化ビニル、ポリオキシメチレン、アクリロニトリル−ブタジエン−スチレン共重合体、ポリエチレンテレフタレート、ポリブチレンテレフタレート、ポリカーボネート等の熱可塑性樹脂が用いられる。固定具（１）の材料として熱可塑性樹脂を用いる際には、患者の体内へ落下、紛失してしまう危険性を考慮し、一部もしくは全体にわたってＸ線不透過性の材料を混練したものを用いるとより好ましい。こうすることで固定具（１）が万が一患者の体内に落下して紛失しても、術後のＸ線撮影により所在を確認できる。Ｘ線不透過性の材料の種類は特に限定しないが、硫酸バリウム、酸化ビスマス、次炭酸ビスマスなどが用いられる。
【００１５】
固定具（１）の使用方法について述べる。先ずチューブ（６）を雄コネクター（７）に接続する。次にチューブ（６）の上から固定具（１）を被せ、締結手段（４）とチューブ（６）が接したところから、把持部（５）を把持し、締結手段（４）の螺旋の向きに合わせて捻る。このようにして、固定具（１）は締結手段（４）の螺旋の向きに沿って、雄コネクター（７）に対して相対的にテーパー小径部（９）からテーパー大径部（８）に向かって押し進められる。この時、締結手段（４）によりチューブ（６）に螺旋状の溝を形成し、固定具（１）をさらに捻ると前記溝をガイドとしてさらに締結手段（４）は雄コネクター（７）のテーパー大径部（８）側に向かって進行し、土台部（１０）に突き当たって締結を完了する。チューブ（６）に螺旋状に締結した固定具（１）は締結手段（４）がチューブ（６）の径方向中心に向かって食込んでいるため、チューブ（６）を雄コネクター（７）から引抜く力に抗する。固定具（１）と雄コネクター（７）のクリアランスは締結手段（４）とテーパー大径部（８）との間で最小となり、チューブ（６）の締付けの度合いは最大となる。
【産業上の利用可能性】
【００１６】
本発明の活用例として、医療用のカテーテルと医療機器の接続用途などに適用できる。
【図面の簡単な説明】
【００１７】
【図１】固定具の断面図である。
【図２】固定具の左側面図である。
【図３】固定具の使用方法を示した参考図である。
【図４】固定具の使用方法を示した参考図である。
【符号の説明】
【００１８】
１    固定具
２    筒状部
３    チューブ当接部
４    締結手段
５    把持部
６    チューブ
７    雄コネクター
８    テーパー大径部
９    テーパー小径部
１０    土台部
【図１】
2005261572.tif 000003
【図２】
2005261572.tif 000004
【図３】
2005261572.tif 000005
【図４】
2005261572.tif 000006